(57)【特許請求の範囲】
【請求項１】
湯水を貯湯する上下椀状の筒体から成る貯湯タンクと、この貯湯タンクへ給水する給水管と、前記貯湯タンクから給湯する出湯管と、前記貯湯タンクの湯水を加熱する加熱手段と、前記貯湯タンクを覆う枠体とを備えたものに於いて、前記枠体底部のベース板には切り欠き部を設け、先端部には貯湯タンク周面に取り付けられる取り付け部及び、中間部には貯湯タンクの椀状底部を載置する載置部と、ベース板を固定するベース固定部及び、底部にはアンカーボルトが打ち込まれて設置面に固定されるアンカー固定部を形成した一体の支持脚が、貯湯タンク下部に取り付けられ前記切り欠き部を貫通して備えられた事を特徴とする貯湯式給湯装置。
【発明の詳細な説明】
【技術分野】
【０００１】
この発明は、加熱手段で加熱されて貯湯タンクに貯湯された湯水を給湯する貯湯式給湯装置に関するものである。
【背景技術】
【０００２】
従来よりこの種の貯湯式給湯装置に於いては、貯湯タンクを支持する支持脚は、貯湯タンク下部から枠体底部のベース板までを支持するタンク脚と、ベース板に固定され該ベース板から下を支持する枠脚とに２分割されているものであった（特許文献１参照）。
【先行技術文献】
【特許文献】
【０００３】
【特許文献１】特開２０１１−２１４４号公報
【発明の概要】
【発明が解決しようとする課題】
【０００４】
ところがこの従来のものでは、支持脚１つに対して、２つの脚とこれを固定する複数の部品が必要であり、部品点数が多く加工代を含めると高価であり、しかも組み付けも複雑で時間がかかると言う課題と、地震による揺れや振動でベース板の分割面に応力が集中して変形すると言う問題点も有するものであった。
【課題を解決するための手段】
【０００５】
この発明は上記課題を解決するため、特にその構成を、湯水を貯湯する上下椀状の筒体から成る貯湯タンクと、この貯湯タンクへ給水する給水管と、前記貯湯タンクから給湯する出湯管と、前記貯湯タンクの湯水を加熱する加熱手段と、前記貯湯タンクを覆う枠体とを備えたものに於いて、前記枠体底部のベース板には切り欠き部を設け、先端部には貯湯タンク周面に取り付けられる取り付け部及び、中間部には貯湯タンクの椀状底部を載置する載置部と、ベース板を固定するベース固定部及び、底部にはアンカーボルトが打ち込まれて設置面に固定されるアンカー固定部を形成した一体の支持脚が、貯湯タンク下部に取り付けられ前記切り欠き部を貫通して備えられたものである。
【発明の効果】
【０００６】
以上のようにこの発明によれば、貯湯タンク下部からベース板の切り欠き部を通り、１つの支持脚で貯湯タンクを支持するので、部品点数は少なくて済み安価であると共に、組み付けも容易で時間もかからないものであり、更に支持脚は貯湯タンクの重量を上部の取り付け部だけではなく、貯湯タンクの椀状底部を載置する載置部で受けるようにしているので、取り付け部には大きな力がかからいと共に、一体型で分割面がないから、揺れや振動に強く変形することもなく長期に渡って、水が入ると重量物となる貯湯タンクを確実に支持することが出来るものである。
【図面の簡単な説明】
【０００７】
【図１】この発明の一実施形態の貯湯式給湯装置の概略構成図。
【図２】同要部の斜視図。
【図３】図２の一部分解斜視図。
【図４】ベース板と支持脚の取り付け状態を示す説明図。
【発明を実施するための形態】
【０００８】
次にこの発明の一実施形態の貯湯式給湯装置を図面に基づいて説明する。
１は湯水を貯湯する上下椀状の筒体から成る貯湯タンク、２は貯湯タンク１下部へ給水する給水管、３は貯湯タンク１上部から出湯する出湯管、４は給水管２から分岐された給水バイパス管、５は出湯管３からの湯と給水バイパス管４からの水とを給湯設定温度に混合する給湯混合弁、６は給湯混合弁５で混合された湯水を給湯栓（図示せず）に供給する給湯管、７は給湯管６から流出する給湯の流量をカウントする給湯流量カウンタ、８は給湯管６から給湯される湯水の温度を検出する給湯温度センサである。
【０００９】
９は貯湯タンク１内の湯水を加熱する加熱手段としてのヒートポンプ式加熱手段で、冷媒を圧縮する圧縮機１０と、圧縮された高温冷媒と貯湯タンク１からの湯水とを熱交換する冷媒水熱交換器１１と、冷媒水熱交換器１１で放熱された冷媒を減圧する膨張弁１２と、低温低圧の冷媒を蒸発される蒸発器１３とを環状に接続して構成され、一定の加熱能力で作動するように制御されるもので、貯湯タンク１下部から取り出した湯を加熱して貯湯タンク１上部に戻すようにしているため沸き上げる湯量を自在にコントロールできるものである。
【００１０】
１４は貯湯タンク１下部の湯水を冷媒水熱交換器１１へ循環させて貯湯タンク１上部に戻す加熱循環回路、１５は加熱循環回路１４途中に設けられた加熱循環ポンプ、１６は冷媒水熱交換器１１へ入水する湯水の温度を検出する入水温度センサ、１７は冷媒水熱交換器１１で加熱された湯水の温度を検出する沸き上げ温度センサである。
【００１１】
１８は貯湯タンク１の外周側面上下に複数設けられ、貯湯タンク１内の湯水の温度を検出し、貯湯量を検出する貯湯量検出手段としての貯湯温度センサで、ここでは、頂部貯湯温度センサ１８ａ、上部貯湯温度センサ１８ｂ、中間貯湯温度センサ１８ｃ、下部貯湯温度センサ１８ｄの４個の貯湯温度センサ１８が設けられており、下部貯湯温度センサ１８ｄは給湯があった際の最低温度を検出することで給水管２からの給水温度を検出する給水温度検出手段を兼ねているものである。
【００１２】
１９はリモコンで、給湯装置に関する各種の情報（給湯設定温度、残湯量、給湯装置の作動状態、沸き上げモード等）を表示する表示部２０と、給湯設定温度を設定操作するための増減設定スイッチ２１とを備えている。
【００１３】
２２は給湯流量センサ７、給湯温度センサ８、入水温度センサ１６、沸き上げ温度センサ１７、貯湯温度センサ１８の検出値が入力され、給湯混合弁５、圧縮機１０、膨張弁１２、加熱循環ポンプ１５の作動を制御すると共に、リモコン１９と通信可能に接続された制御手段であり、この制御手段２２は、予め給湯装置の作動を制御するためのプログラムが記憶されていると共に、演算、比較、記憶機能、時計機能を有しているものである。
【００１４】
２３は貯湯タンク１及び各種配管、制御手段２２等を覆う四角形の枠体で、底部には貯湯タンク１の椀状底部と対向する底板を形成するベース板２４が備えられ、このベース板２４の３箇所には凹状の切り欠き部２５が形成されており、この切り欠き部２５には貯湯タンク１下部の３箇所に備えられた支持脚２６が貫通して設けられている。
【００１５】
前記支持脚２６は、先端の取り付け部２７を貯湯タンク１下部の周方向等間隔の３箇所に予め溶接して固定された固定部２８にネジとナットで取り付けるものであり、更に支持脚２６の取り付け部２７に続く中間部分には、貯湯タンク１の椀状底部を載置するように椀状に形成された載置部２９が設けられると共に、この載置部２９の下方にはベース板２４の切り欠き部２５内を挿通しネジで該ベース板２４を固定するベース固定部３０が備えられ、又支持脚２６の側面視が逆Ｔ字状となるように底部には、アンカーボルトが打ち込まれて支持脚２６を設置面に固定するアンカー固定部３１が備えられ、これで器具全体が設置面に固定されるものである。
【００１６】
次に支持脚２６による支持について説明すれば、今支持脚２６の取り付け部２７を貯湯タンク１の固定部２８にネジとナットで取り付けることで、載置部２９上に貯湯タンク１の椀状底部が載置するかたちとなり、この支持脚２６に予め切り欠き部２５を挿通していたベース板２４を取り付ければ、支持脚２６による貯湯タンク１の支持は終了するものであり、その後は、各種配管を接続した後に、枠体２３の残りの面を取り付けることで、貯湯式給湯装置が完成するものである。
【００１７】
このように支持脚２６は、貯湯タンク１の下部からベース板２４の下までを、一体型の支持脚２６で構成しているので、従来のように途中で分割されていないことで、部品点数が少なくて済み安価であると共に、組み付けも容易で時間もかからないものであり、又一体型で分割面がないから、揺れや振動に強く変形することもなく、更に支持脚２６は貯湯タンク１の重量を上部の取り付け部２７だけではなく、水が入ると重量が増す貯湯タンク１の椀状底部を載置する載置部２９でも受けるようにしているので、取り付け部２７に負荷が集中せず、大きな地震の発生でも変形することなく、強固に貯湯タンク１を支持することが出来るものである。
【００１８】
次にこの貯湯式給湯装置について簡単に説明すれば、深夜の安価な電力を使用してお湯を沸き上げ貯湯し、昼間や夜に給湯として使用するものであり、作動としては、加熱手段９及び加熱循環ボンプ１５の駆動で、貯湯タンク１下部の低温水を加熱循環回路１４を介して、加熱手段９の冷媒水熱交換器１１に流通させて加熱した高温水を、加熱循環回路１４を介して貯湯タンク１の上部に戻し、順次この加熱を繰り返して、貯湯タンク１内の湯水を沸き上げて貯湯するものである。
【００１９】
そして給湯栓を開くことで貯湯タンク１の高温水と給水バイパス管４の給水とが、給湯混合弁５で給湯設定温度の温水とされて給湯されるもので、貯湯タンク１内の高温水が最低貯湯量に達するまで随時、良好な給湯が行われるものである。
【符号の説明】
【００２０】
１  貯湯タンク
２  給水管
３  出湯管
９  ヒートポンプ式加熱手段（加熱手段）
２３  枠体
２４  ベース板
２５  切り欠き部
２６  支持脚
２９  載置部
【図１】
0005750027.tif 000002
【図２】
0005750027.tif 000003
【図３】
0005750027.tif 000004
【図４】
0005750027.tif 000005